(57)【要約】【課題】パネル部材の着脱作業の作業性を向上させることができると共に、その構造が簡単でありかつ部品点数を少なくして、材料費や製造費を安価にすることができるパネル固定構造を提供する。【解決手段】パネル部材１２を支持する板状のパネル支持部４２ｂに貫通孔４２ｅが形成された調整台４２と、上端部にメネジ部４４ｂを有し、このメネジ部４４ｂがネジ部材１４とネジ締結されて前記パネル部材１２を前記パネル支持部４２ｂに固定すると共に、下端部に前記パネル支持部４２ｂの貫通孔４２ｅを挿通する挿通部４４ｅを有し、当該挿通部４４ｅの長さ方向両端部に前記パネル支持部４２ｂの貫通孔４２ｅの孔径より外形形状が大きい脱落防止手段４４ｃ，４４ｆを有する固定部材４４とを備えた。【選択図】図１
2014173308.tif 000002
【特許請求の範囲】
【請求項１】
パネル部材を支持する板状のパネル支持部に貫通孔が形成された調整台と、
上端部にメネジ部を有し、このメネジ部がネジ部材とネジ締結されて前記パネル部材を前記パネル支持部に固定すると共に、
下端部に前記パネル支持部の貫通孔を挿通する挿通部を有し、当該挿通部の長さ方向両端部に前記パネル支持部の貫通孔の孔径より外形形状が大きい脱落防止手段を有する固定部材と
を備えたことを特徴とするパネル固定構造。
【請求項２】
前記貫通孔の開口形状は略矩形状に形成され、
前記固定部材の挿通部は、外形形状が前記貫通孔の開口形状よりも小さい略矩形状に形成された
ことを特徴とする請求項１に記載のパネル固定構造。
【発明の詳細な説明】
【技術分野】
【０００１】
本発明は、フリーアクセスフロアのパネル部材を固定するために用いられるパネル固定構造に関するものである。
【背景技術】
【０００２】
図１０は、従来のパネル固定構造２を説明するために参照する図である。従来のパネル固定構造２は、主に調整台４と、脚部材６と、パネル部材１２を備えて構成されていた。
【０００３】
従来のパネル固定構造２の一部を構成する調整台４は、図１０中上下方向に伸びる円筒状の支柱部４ａと、この支柱部４ａの上端部においてその半径外方に張出して、パネル部材１２を支持する上面４ｄを有するフランジ状のパネル支持部４ｂと、このパネル支持部４ｂの上面４ｄより上方に突出する複数の突出部４ｅとを一体的に備えて構成されていた。
【０００４】
調整台４の支柱部４ａにはその軸線方向に沿って軸孔が形成され、この軸孔の内周部にはメネジ部４ｃが形成されていた。基礎床面３上に立設した脚部材６の、丸棒状の立設部６ｂには、その外周部に長さ方向に沿ってオネジ部６ａが形成されていた。
【０００５】
調整台４の支柱部４ａのメネジ部４ｃに、脚部材６のオネジ部６ａがネジ結合した状態で、オネジ部６ａの螺旋軌跡に沿って調整台４を相対回転させることにより、調整台４の基礎床面３からの高さ位置を上下に調整していた。
【０００６】
そして、支柱部４ａの下端部には、軸線が支柱部４ａの半径方向に伸びるメネジ孔４ｈが形成され、このメネジ孔４ｈには、オネジ部材１０のオネジ部１０ａがネジ結合していた。このオネジ部１０ａをメネジ孔４ｈに締め付けることにより、オネジ部材１０の先端が脚部材６のオネジ部６ａに当接して押圧することにより、調整台４の高さ位置を固定することができた。
【０００７】
脚部材６のオネジ部６ａの上下方向の長さ途中部には、ナット部材８がネジ結合していて、このナット部材８の上端面は支柱部４ａの下端面に接触していた。このため、ナット部材８の上端面を、調整台４の支柱部４ａの下端面に接触させて、互いの接触面を互いに押圧するようにきつくネジを締結することにより、調整台４は基礎床面３から所望の高さ位置に固定されるようになっていた。
【０００８】
調整台４の突出部４ｅには、その上端面から上下方向の長さ途中行止り部までメネジ部４ｆが形成されていて、このメネジ部４ｆには、パネル部材１２を固定するためのネジ部材１４のオネジ部１４ｂがネジ結合していた。
【０００９】
すなわち、パネル部材１２は、その四隅部が調整台４のパネル支持部４ｂの上面４ｄ上に載せられて、ネジ部材１４のオネジ部１４ｂを、上記突出部４ｅのメネジ部４ｆにネジ結合して締め付けることにより、パネル部材１２の四隅部は、ネジ部材１４の頭部１４ａにより下方に押え付けられて、調整台４のパネル支持部４ｂの上面４ｄ上に固定されていた。
【００１０】
調整台４は、その上面４ｄ上に、複数のパネル部材１２の、各々の四隅部のいずれか１つずつが寄せ集められて載置されていた。そして、これらの四隅部を介して、パネル部材１２にその上方から加えられた荷重を支持するようになっていた。
【００１１】
このような従来のパネル固定構造２においては、パネル部材１２は、基礎床面３から上方に空間を隔てて、基礎床面３から所望の高さ位置の水平面上に配置されるように、調整台４に着脱可能に支持されていた。
【先行技術文献】
【特許文献】
【００１２】
【特許文献１】特許第４８４２０９６号公報
【特許文献２】特開２００９−１９１４４３号公報
【特許文献３】特開２００９−１９１４７５号公報
【発明の概要】
【発明が解決しようとする課題】
【００１３】
しかしながら、従来のパネル固定構造２においては、パネル部材１２が水平方向に少しでもずれて配置された場合には、調整台４の突出部４ｅのメネジ部４ｆの軸線と、パネル部材１２を固定するネジ部材１４のオネジ部１４ｂの軸線とが、水平方向にずれてしまうため、オネジ部１４ｂとメネジ部４ｆがネジ結合できないので、パネル部材１２を調整台４上に固定することができないという問題があった。
【００１４】
また、上記従来のパネル固定構造２においては、パネル部材１２を調整台４上に固定するために、予め突出部４のメネジ部４ｆと、ネジ部材１４のオネジ部１４ｂとの位置合せをしなければならないので、パネル部材１２のパネル固定構造２への着脱作業に多大な労力や手間が掛かるという問題もあった。
【００１５】
このような従来の問題の解決を図るために、特許文献１から３に記載されるようなパネル固定具等が考えられてきた。これらのパネル固定具等は、パネル部材１２の着脱作業の作業性を向上させることはできるが、構造が複雑であり部品点数も多いため、材料費や製造費が高価となってしまうという問題があった。
【００１６】
そこで本発明は、上記問題点に鑑みて、パネル部材の着脱作業の作業性を向上させることができると共に、その構造が簡単でありかつ部品点数を少なくして、材料費や製造費を安価にすることができるパネル固定構造を提供することを課題とするものである。
【課題を解決するための手段】
【００１７】
上記課題を解決するために、本発明によるパネル固定構造は、
パネル部材を支持する板状のパネル支持部に貫通孔が形成された調整台と、
上端部にメネジ部を有し、このメネジ部がネジ部材とネジ締結されて前記パネル部材を前記パネル支持部に固定すると共に、
下端部に前記パネル支持部の貫通孔を挿通する挿通部を有し、当該挿通部の長さ方向両端部に前記パネル支持部の貫通孔の孔径より外形形状が大きい脱落防止手段を有する固定部材とを備えたことを特徴とするものである。
【００１８】
また、本発明によるパネル固定構造は、
前記貫通孔の開口形状は略矩形状に形成され、
前記固定部材の挿通部は、外形形状が前記貫通孔の開口形状よりも小さい略矩形状に形成されたことを特徴とするものである。
【発明の効果】
【００１９】
このような本発明のパネル固定構造によれば、
パネル部材を支持する板状のパネル支持部に貫通孔が形成された調整台と、
上端部にメネジ部を有し、このメネジ部がネジ部材とネジ締結されて前記パネル部材を前記パネル支持部に固定すると共に、
下端部に前記パネル支持部の貫通孔を挿通する挿通部を有し、当該挿通部の長さ方向両端部に前記パネル支持部の貫通孔の孔径より外形形状が大きい脱落防止手段を有する固定部材とを備えたことにより、
パネル部材の着脱作業の作業性を向上させることができると共に、その構造が簡単でありかつ部品点数を少なくして、材料費や製造費を安価にすることができる。
【図面の簡単な説明】
【００２０】
【図１】本発明の一実施の形態に係るパネル固定構造４０の一部断面側面図である。
【図２】図１におけるパネル固定構造４０の調整台４２と固定部材４４の上面図である。
【図３】図２におけるパネル固定構造４０の調整台４２と固定部材４４のＡ−Ａ線矢視の断面図である。
【図４】図２におけるパネル固定構造４０の調整台４２と固定部材４４の底面図である。
【図５】図３におけるパネル固定構造４０の調整台４２と固定部材４４のＢ−Ｂ線矢視の断面図である。
【図６】図７における調整台４２のＣ−Ｃ線矢視の断面図である。
【図７】図１におけるパネル固定構造４０の調整台４２の上面図である。
【図８】図１における固定部材４４を示す図であって、図８（ａ）は係止部４４ｆが形成された後の状態を示す側面断面図であり、図８（ｂ）は係止部４４ｆが形成される前の状態を示す側面断面図である。
【図９】図３における調整台４２と固定部材４４において、係止部４４ｆが形成されていない固定部材４４を調整台４２のパネル支持部４２ｂの矩形孔４２ｅに挿入した状態を示す断面図である。
【図１０】従来のパネル固定構造２を示すその一部断面側面図である。
【発明を実施するための形態】
【００２１】
以下、本発明に係るパネル固定構造を実施するための形態について、図面に基づいて具体的に説明する。
図１から図９は、本発明の一実施の形態に係るパネル固定構造４０について説明するために参照する図である。
【００２２】
本実施の形態に係るパネル固定構造４０は、主として、前記従来のパネル固定構造２における調整台４とその突出部４ｅの代わりに、調整台４２と、複数の固定部材４４を備えるようになっている点において、前記従来のパネル固定構造２とは異なるものである。
【００２３】
すなわち、本実施の形態に係るパネル固定構造４０は、図１に示すように、主に調整台４２と、複数の固定部材４４と、脚部材６と、パネル部材１２を備えて構成されている。
【００２４】
図２から図４に示すように、固定部材４４は、その下端部の挿通部４４ｅが、調整台４２のパネル支持部４２ｂの矩形孔４２ｅ（貫通孔）に挿通していると共に、パネル支持部４２ｂの上面４２ｆ（表面）上に、上記矩形孔４２ｅの孔径より外形形状が大きい拡径部４４ｃ（脱落防止手段）が形成され、パネル支持部４２ｂの下面４２ｇ（裏面）より下側に、上記矩形孔４２ｅの孔径より外形形状が大きい係止部４４ｆが形成されている。
【００２５】
そして、固定部材４４は、調整台４２に対して水平方向に、少量であれば相対移動可能に係合していると共に、調整台４２から容易に抜け出せないようになっている。
【００２６】
図１に示すパネル固定構造４０の調整台４２は、図６に示すように、その軸線方向（図中上下方向）に伸びる円筒状の支柱部４２ａと、この支柱部４２ａの上端部においてその半径外方に張出し、パネル部材１２を支持する上面４２ｆを有するフランジ状のパネル支持部４２ｂを有している。
【００２７】
調整台４２の支柱部４２ａにはその軸線方向に沿って軸孔が形成され、その軸孔の長さ途中部までその内周部にメネジ部４２ｃが形成されている。基礎床面３上に立設した脚部材６の、丸棒状の立設部６ｂには、その外周部に長さ方向に沿ってオネジ部６ａが形成されている。
【００２８】
調整台４２の支柱部４２ａのメネジ部４２ｃに、脚部材６の立設部６ｂのオネジ部６ａがネジ結合した状態で、オネジ部６ａの螺旋軌跡に沿って調整台４２を相対回転させることにより、調整台４２の基礎床面３からの高さ位置を上下に調整することができる。
【００２９】
そして、支柱部４２ａの下端部には、軸線が支柱部４２ａの半径方向に伸びるメネジ孔４２ｉが形成され、このメネジ孔４２ｉには、オネジ部材１０のオネジ部１０ａがネジ結合している。このオネジ部１０ａをメネジ孔４２ｉに強く締め付けることにより、オネジ部材１０の先端が立設部６ｂのオネジ部６ａに当接して押圧すると、調整台４２の高さ位置を固定することができる。
【００３０】
立設部６ｂのオネジ部６ａの上下方向の長さ途中部には、ナット部材８がネジ結合していて、このナット部材８の上端面は支柱部４２ａの下端面に接触している。このため、ナット部材８の上端面を、支柱部４２ａの下端面に接触させて、互いの接触面を互いに押圧するようにきつくネジを締結することにより、調整台４２を基礎床面３から所望の高さ位置に固定することができる。
【００３１】
図６に示すように、調整台４２の支柱部４２ａの上端部とパネル支持部４２ｂとの間には、支柱部４２ａの外周面より半径外方に伸びるように突出する三角板状のリブ４２ｄが形成され、またこのリブ４２ｄは図７に示すように、円周方向に互いに間隔を置いて８つ形成されている。
【００３２】
そして、図６に示すように、調整台４２のリブ４２ｄは、支柱部４２ａ外周の上端部とパネル支持部４２ｂの下面４２ｇのそれぞれを一辺とする、略三角形状に形成されており、支柱部４２ａ及びパネル支持部４２ｂに一体的に形成されている。このため、調整台４２のリブ４２ｄは、パネル支持部４２ｂを下から支えて補強することができる。
【００３３】
調整台４２のパネル支持部４２ｂには、図７に示すように、略矩形状に開口する矩形孔４２ｅが４つ形成されている。これらの矩形孔４２ｅは、略円周方向に沿って長さを有する２辺の長さ寸法が、略半径方向に沿って長さを有する２辺の長さ寸法よりも大きく形成されている。そして、これらの矩形孔４２ｅは、円周方向に互いに間隔を置いて隣り合って配置される２つのリブ４２ｄ，４２ｄ間に配置されている。
【００３４】
また、調整台４２のパネル支持部４２ｂの上面４２ｆには、その外周縁部近傍から半径方向内側に向かって伸びる薄板状のガイド板部４２ｈが４つ形成されている。
【００３５】
これらのガイド板部４２ｈは、円周方向に互いに間隔を置いて隣り合って配置される２つのリブ４２ｄ，４２ｄ間に配置されている。そして、これらのガイド板部４２ｈは、図６に示すように、パネル支持部４２ｂの上面４２ｆより同図中上方に突出して、パネル支持部４２ｂに一体的に形成されている。
【００３６】
図２に示すように、調整台４２のパネル支持部４２ｂの、ガイド板部４２ｈにより４つに区切られた上面４２ｆのそれぞれには、パネル部材１２の四隅部がそれぞれ載置されるようになっている。
【００３７】
図１に示すパネル固定構造４０の固定部材４４は、図８（ａ）に示すように、筒状部４４ａと、拡径部４４ｃと、挿通部４４ｅと、係止部４４ｆとを備えて構成されている。ここで、固定部材４４の係止部４４ｆは、調整台４２のパネル支持部４２ｂの矩形孔４２ｅに、挿通部４４ｅが挿通した後に形成されるものである。
【００３８】
図２及び図８（ａ）に示すように、固定部材４４の筒状部４４ａは、円筒状に形成されている。この筒状部４４ａには、その外周部の軸線方向途中部に段差４４ｉが形成されており、この段差４４ｉより下方における外径寸法が、段差４４ｉより上方における外径寸法より大きく形成されている。
【００３９】
そして、固定部材４４の筒状部４４ａは、その上端面からその軸線方向（図中上下方向）の長さ途中部まで形成された軸孔の内周部に、メネジ部４４ｂが形成されている。
【００４０】
図８（ａ）に示すように、固定部材４４の拡径部４４ｃは、筒状部４４ａの下端部が略直角に、半径方向外側に向かって折り曲げられるように突出して、この突出した部分は、径が最大の部分で折り返されて、それから水平方向かつ半径方向内側に向かって径を縮小させてから、上記最大の径の部分より径が小さな挿通部４４ｅの上端部に連続するよう形成されている。
【００４１】
このようにして、固定部材４４には、拡径部４４ｃの下面４４ｄから図中下側に伸びる挿通部４４ｅが形成されている。この挿通部４４ｅは、図５に示すように、その外形形状が調整台４２の矩形孔４２ｅの開口形状に相似する、それより小さな略矩形状に形成されている。
【００４２】
固定部材４４は、図８（ｂ）及び図９に示すように、その係止部４４ｆが形成される前は、挿通部４４ｅと同じ径の円筒部が下方に伸びていて、この円筒部の下端部がパネル支持部４２ｂの矩形孔４２ｅに挿入されて、パネル支持部４２ｂの下面４２ｇより下側に突出するようになっている。
【００４３】
図８（ａ）に示すように、固定部材４４の係止部４４ｆは、図８（ｂ）に示す図中下側に伸びる挿通部４４ｅの先端部がカシメ加工等により略直角に折り曲げられて、挿通部４４ｅの外周面から半径方向外側に突出するように形成されている。
【００４４】
図２から図４に示すように、固定部材４４の拡径部４４ｃ及び係止部４４ｆは、それぞれの外形形状が挿通部４４ｅの外形形状よりも大きく形成されているだけでなく、調整台４２のパネル支持部４２ｂの矩形孔４２ｅの対応する部分の外形形状よりも大きく形成されている。
【００４５】
このため、固定部材４４は、その拡径部４４ｃ及び係止部４４ｆにより調整台４２のパネル支持部４２ｂに係合すると共に、その拡径部４４ｃ及び係止部４４ｆがパネル支持部４２ｂの矩形孔４２ｅから容易に抜け出て固定部材４４が脱落するのを防止することができる。
【００４６】
図３に示すように、固定部材４４の挿通部４４ｅの軸線方向の長さ寸法は、パネル支持部４２ｂの板厚よりも若干大きく形成されている。このため、パネル支持部４２ｂの上面４２ｆと、固定部材４４の拡径部４４ｃの下面４４ｄとの間、又はパネル支持部４２ｂの下面４２ｇと、固定部材４４の係止部４４ｆの上面４４ｈとの間に隙間を形成することができる。
【００４７】
そして、固定部材４４は、その挿通部４４ｅの外側面と、パネル支持部４２ｂの矩形孔４２ｅの内側面との間に隙間を形成することができるようになっているため、その隙間分だけ調整台４２に対して固定部材４４は水平方向に移動することができる。
【００４８】
また、固定部材４４は、図５に示すように、その挿通部４４ｅがパネル支持部４２ｂの矩形孔４２ｅに相似する略矩形状に形成されているため、パネル支持部４２ｂの矩形孔４２ｅに対する回転が、挿通部４４ｅの外側面と矩形孔４２ｅの内側面との間の隙間の範囲内に制限されている。
【００４９】
このため、図１に示すように、ネジ部材１４のオネジ部１４ｂを固定部材４４のメネジ部４４ｂにネジ締結するときに、固定部材４４がネジ部材１４と共に回転してネジ締結ができなくなることを防止することができる。
【００５０】
パネル部材１２は、その四隅部が調整台４２のパネル支持部４２ｂの上面４２ｆ上に載せられて、ネジ部材１４のオネジ部１４ｂを、固定部材４４の筒状部４４ａの内側に形成されたメネジ部４４ｂにネジ結合して下方に締め付ける（ネジ締結）ことにより、パネル部材１２の四隅部は、ネジ部材１４の頭部１４ａにより下方に押え付けられて、調整台４２のパネル支持部４２ｂの上面４２ｆ上に固定されている。
【００５１】
このとき、固定部材４４は、その筒状部４４ａに形成されたメネジ部４４ｂにネジ部材１４のオネジ部１４ｂに締め付けられることにより、図１に示すように、上方に浮き上がって、その係止部４４ｆの上面４４ｈが調整台４２のパネル支持部４２ｂの下面４２ｇに接触するようになっている。
【００５２】
調整台４２は、そのパネル支持部４２ｂの上面４２ｆ上に、複数のパネル部材１２の、各々の四隅部のいずれか１つずつが寄せ集められて載置されている。そして、これらの四隅部を介して、パネル部材１２にその上方から加えられた荷重を支持するようになっている。
【００５３】
本実施の形態に係るパネル固定構造４０によれば、主に調整台４２と固定部材４４を備えて構成されており、これらの個々の構造及びこれらを組み合わせた構造が簡単なものであるため、特許文献１から３に記載されたパネル固定具等に比べて構造が簡単であり、部品点数を少なくすることができると共に、材料費や製造費を安価にすることができる。
【００５４】
また、本実施の形態に係るパネル固定構造４０によれば、固定部材４４が調整台４２に対して相対移動することが可能となっていることにより、固定部材４４のメネジ部４４ｂと、ネジ部材のオネジ部１４ａの位置合せを容易に行なうことができるので、パネル部材１２の着脱作業の作業性を向上させることができる。
【００５５】
したがって、以上に説明したように、本実施の形態に係るパネル固定構造４０によれば、パネル部材１２の着脱作業の作業性を向上させることができると共に、パネル固定構造４０の構造が簡単でありかつ部品点数を少なくして、材料費や製造費を安価にすることができる。
【００５６】
なお、本発明は、前記実施の形態にのみ限定されるものではなく、本発明の目的を達成することができる範囲内であれば、パネル固定構造の種々の変更が可能である。
【００５７】
例えば、前記実施の形態に係るパネル固定構造４０は、脚部材６の立設部６ｂのオネジ部６ａにネジ結合されたナット部材８の上端面を、調整台４２の支柱部４２ａの下端面に接触させて、互いの接触面を互いに押圧するようにきつくネジ締結するようになっていたが、ナット部材８がない構成にしてもよい。
【００５８】
また、前記実施の形態に係るパネル固定構造４０は、調整台４２の支柱部４２ａのメネジ部４２ｃに、脚部材６の立設部６ｂのオネジ部６ａをネジ結合するようになっていたが、これらをネジ結合しない構成にしてもよい。
【００５９】
また、前記実施の形態における固定部材４４は、その筒状部４４ａの外周部の軸線方向途中部に段差４４ｉが形成されていたが、段差４４ｉが形成されていなくてもよい。
【００６０】
また、図１においては、説明の便宜上、１つの調整台４２が２枚のパネル部材１２の隅部を支持する場合について示してあるが、１つの調整台４２は４枚のパネル部材１２のそれぞれの隅部を寄せ集めて支持することができることや、それが本来の調整台４２の使い方であることは、いうまでもない。
【符号の説明】
【００６１】
２  パネル固定構造
３  基礎床面
４  調整台
４ａ  支柱部
４ｂ  パネル支持部
４ｃ  メネジ部
４ｄ  上面
４ｅ  突出部
４ｆ  メネジ部
４ｈ  メネジ孔
６  脚部材
６ａ  オネジ部
６ｂ  立設部
８  ナット部材
１０  オネジ部材
１０ａ  オネジ部
１２  パネル部材
１４  ネジ部材
１４ａ  頭部
１４ｂ  オネジ部
４０  パネル固定構造
４２  調整台
４２ａ  支柱部
４２ｂ  パネル支持部
４２ｃ  メネジ部
４２ｄ  リブ
４２ｅ  矩形孔
４２ｆ  上面
４２ｇ  下面
４２ｈ  ガイド板部
４２ｉ  メネジ孔
４４  固定部材
４４ａ  筒状部
４４ｂ  メネジ部
４４ｃ  拡径部
４４ｄ  下面
４４ｅ  挿通部
４４ｆ  係止部
４４ｈ  上面
４４ｉ  段差
【図１】
2014173308.tif 000003
【図２】
2014173308.tif 000004
【図３】
2014173308.tif 000005
【図４】
2014173308.tif 000006
【図５】
2014173308.tif 000007
【図６】
2014173308.tif 000008
【図７】
2014173308.tif 000009
【図８】
2014173308.tif 000010
【図９】
2014173308.tif 000011
【図１０】
2014173308.tif 000012